(57)【要約】【課題】バーストを指定して、該当バーストの複数の信号特性を一瞥して把握する。【解決手段】入力された通信信号ａにおける各バーストの波形データを記憶する信号メモリ１０と、この信号メモリに記憶された１測定区間分の波形データの各時刻における信号レベルを測定するレベル測定手段１４と、測定した１測定区間分の信号レベルから１測定区間分のバースト波形１６を作成して表示器２０に表示出力するバースト波形表示手段１９と、操作指定された測定対象のバーストの表示されたバースト波形上の位置を第１のマーカー４３で表示するバースト指定手段２７と、この指定されたバーストの信号特性を測定する特性測定部３０と、この特性測定部で測定された各信号特性を表示器にバースト波形と同一表示画面で表示する信号特性表示手段１９とを備えている。【選択図】      図１
2007019741.tif 000002
【特許請求の範囲】
【請求項１】
変調信号からなる複数のプリアンブル（３）と変調信号からなる１個のメッセージ（４）である複数のバーストから構成される通信信号（ａ）を解析するバースト信号解析装置において、
入力された前記通信信号における少なくともプリアンブルを含む少なくとも１測定区間分の波形データを記憶する信号メモリ（１０）と、
この信号メモリに記憶された１測定区間分の波形データの各時刻における信号レベルを測定するレベル測定手段（１４）と、
このレベル測定手段で測定した１測定区間分の信号レベルから１測定区間分のバースト波形（１６）を作成して表示器（２０）に表示出力するバースト波形表示手段（１５、１８、１９）と、
操作指定された測定対象のバーストの前記表示されたバースト波形上の位置を第１のマーカー（４３）で表示するバースト指定手段（２６、２７）と、
このバースト指定手段で指定されたバーストの少なくとも周波数、変調誤差率、コンスタレーション、位相誤差、信号レベルを含む複数の信号特性を測定する特性測定部（３０）と、
この特性測定部で測定された各信号特性（４４）を前記表示器に前記バースト波形と同一表示画面で表示する信号特性表示手段（１９）と
を備えたことを特徴とするバースト信号解析装置。
【請求項２】
前記バースト指定手段は同時に複数のバーストを指定可能であり、
前記特性測定部は指定された複数のバーストの各信号特性を測定し、
前記信号特性表示手段は前記表示器に各バーストの各信号特性をバースト毎に識別可能に表示する
ことを特徴とする請求項１記載のバースト信号解析装置。
【請求項３】
前記信号メモリに記憶された複数のバーストのうち前記レベル測定手段で測定された信号レベルに基づいたバーストの信号レベルがしきい値以上のバーストを復調して、バースト継続期間における各チップ位置における各データ値を得る復調手段（２９）と、
この復調手段で復調された各データ値の正誤を判定して、各バーストのデータ誤り率を算出する誤り率算出手段と、
この誤り率算出手段で算出された各バーストのデータ誤り率（５１）を前記表示器に表示されたバースト波形における対応するバーストの近傍位置に重ね表示する誤り率表示手段と
を備えたことを特徴とする請求項１記載のバースト信号解析装置。
【請求項４】
前記バースト指定手段で指定されたバーストを復調して、バースト継続期間における各チップ位置における各データ値を得る復調手段（２９）と、
この復調手段で復調された各データ値の正誤を判定するエラー判定手段と、
前記復調手段で復調された各データ値（４９）を前記表示器に前記バースト波形と同一表示画面で表示すると共に、前記エラー判定手段で誤りと判定されたデータ値を正常と判定されたデータ値に対して識別可能に表示する復号データ表示手段と
を備えたことを特徴とする請求項１記載のバースト信号解析装置。
【請求項５】
前記信号メモリに記憶された複数のバーストにおける複数のプリアンブルと１個のメッセージとを抽出するバースト抽出手段（２１）と、
このバースト抽出手段で抽出された各プリアンブルの信号レベルがしきい値以上か否かを判定するレベル判定手段（２４）と、
このレベル判定手段でしきい値未満と判定されたプリアンブルに対する前記バースト指定手段におけるバースト指定を禁止するバースト指定禁止手段（２５）と
を備えたことを特徴とする請求項１記載のバースト信号解析装置。
【請求項６】
前記表示器に表示された複数の信号特性のうちの第２のマーカー（４６）で指定された信号特性のバースト継続期間における各チップ位置における各単位特性で示した特性経時グラフ（４７）を作成して、前記表示器に表示する特性経時グラフ表示手段
を備えたことを特徴とする請求項１記載のバースト信号解析装置。
【請求項７】
前記バースト継続期間における指定したチップ位置の単位特性の値と特性経時グラフ上のチップ位置を第３のマーカー（４５）で表示する詳細特性表示手段
を備えたことを特徴とする請求項６記載のバースト信号解析装置。
【発明の詳細な説明】
【技術分野】
【０００１】
本発明は、それぞれ変調信号からなる複数のバーストからなる通信信号を解析するバースト信号解析装置に関する。
【背景技術】
【０００２】
移動体通信システムにおいては、図１４（ａ）に示すように、携帯電話等の移動端末１と基地局２との間において、通話を行っていない期間においても、一定時間間隔で信号の授受をおこなっている。これは、当該移動端末１がこの基地局２のセル（管轄範囲）に存在することを基地局２に通知する必要があるからである。
【０００３】
すなわち、図１４（ｂ）に示すように、移動端末１において電源が投入されると、一定時間間隔Ｔ2でバースト幅Ｔ1のプリアンブル３が複数個出力され、その後に、バースト幅Ｔ3のメッセージ４が続く通信信号ａがこの移動端末１から電波出力される。複数のプリアンブル３及び１個のメッセージ４はそれぞれバーストを構成する。
【０００４】
そして、プリアンブル３の信号レベルＬを順次上昇していき、基地局２が該当移動端末１のプリアンブル３を受信すると、基地局２から受信確認信号が送信され、基地局２に対してメッセージ４が送信され、基地局２を介した他の移動端末に対する通話可能状態に移行する。この状態に移行した後に、通話先の電話番号を入力して、送信ボタンを押すと、通常の通話が開始される。
【０００５】
この複数のプリアンブル３と１個のメッセージ４とからなる通信信号ａに含まれるプリアンブル３の数は、移動端末１と基地局２との距離に応じて変化する。したがって、通信信号ａの信号長Ｔ4は一定でない。また、移動端末１が基地局２から遠く離れていた場合は、図１４（ｃ）に示すように、プリアンブル３の信号レベルＬを限界レベルＬｍまで上昇させても、基地局２から受信確認信号が送信されない。この場合、表示器に「通話圏外」と表示し、所定時間Ｔ5経過後に、再度通信信号ａの出力を再開する。
【０００６】
移動体通信システムにおける通信方式が例えばＷ−ＣＤＭＡ方式を採用している場合には、図１４（ｄ）に示すように、各プリアンブル３のバーストは、予め定められた固定データをＱＰＳＫの変調方式で変調した変調信号で構成されており、バースト幅（信号長）Ｔ1は１１６７μｓであり、Ｉ、Ｑデータに変換した場合に４０９６チップ数に相当する。
【０００７】
また、メッセージ４のバーストは、基地局２との間で自己の移動端末１が基地局２のセル（管轄範囲）に存在することを基地局２に登録するための各種の情報をＣＤＭＡ方式で変調した変調信号で構成されている。
【０００８】
このような移動体通信システムで用いられる移動端末１を新規に開発したり、稼働期間中の移動端末１が基地局２に対して、接続できない故障等が生じた場合等においては、移動端末１から正しい通信信号ａが出力されていることを簡単にかつ必要に応じて詳細に確認する必要がある。
【０００９】
なお、ＰＨＳ（Personal Handy phone System）における基地局と各移動局との間で送受信される複数スロットが含まれる信号におけるスプリアス成分を解析するスプリアス測定装置が特許文献１に提案されている。
【特許文献１】特開２００５―５７５８０号公報
【発明の開示】
【発明が解決しようとする課題】
【００１０】
本発明はこのような事情に鑑みてなされたものであり、複数のプリアンブルと１個のメッセージとからなる通信信号の各バーストを指定して、該当バーストの周波数、変調誤差率、コンスタレーション、位相誤差、信号レベルを含む複数の信号特性を一瞥して把握でき、かつ必要に応じて、１つのバーストの特定時間位置を指定して、詳細特性値を表示でき、通信信号を短時間で解析でき、異常発生箇所の特定と異常原因の特定とを効率的に実施できるバースト信号解析装置を提供することを目的とする。
【課題を解決するための手段】
【００１１】
上記課題を解決するために、本発明は、変調信号からなる複数のプリアンブルと変調信号からなる１個のメッセージである複数のバーストから構成される通信信号を解析するバースト信号解析装置において、入力された通信信号における少なくともプリアンブルを含む少なくとも１測定区間分の波形データを記憶する信号メモリと、この信号メモリに記憶された１測定区間分の波形データの各時刻における信号レベルを測定するレベル測定手段と、このレベル測定手段で測定した１測定区間分の信号レベルから１測定区間分のバースト波形を作成して表示器に表示出力するバースト波形表示手段と、操作指定された測定対象のバーストの表示されたバースト波形上の位置を第１のマーカーで表示するバースト指定手段と、このバースト指定手段で指定されたバーストの少なくとも周波数、変調誤差率、コンスタレーション、位相誤差、信号レベルを含む複数の信号特性を測定する特性測定部と、この特性測定部で測定された各信号特性を表示器にバースト波形と同一表示画面で表示する信号特性表示手段と備えている。
【００１２】
このように構成されたバースト信号解析装置においては、通信信号における複数のプリアンブルと１個のメッセージとを含む１測定区間分の各時刻における信号レベルの経時変化を示すバースト波形が表示器に表示される。そして、操作者が、測定対象のバーストを指定すると、バースト波形上の対応バーストがマーカーで指定表示される。さらに、該当バーストの各信号特性がバースト波形と同一表示画面で表示される。
【００１３】
したがって、複数のプリアンブルのバーストと１個のメッセージのバーストからなる通信信号のバースト波形上の任意のバーストを指定して、該当バーストの各信号特性を一瞥して、把握できるので、試験実施者にとっては、使い勝手の良い信号解析装置とすることができる。
【００１４】
また、別の発明は、上述した発明のバースト信号解析装置において、バースト指定手段は同時に複数のバーストを指定可能であり、特性測定部は指定された複数のバーストの各信号特性を測定し、信号特性表示手段は前記表示器に各バーストの各信号特性をバースト毎に識別可能に表示する。
【００１５】
このように構成されたバースト信号解析装置においては、バースト波形上の任意の複数のバーストを指定すると、表示器に指定された各バーストの各信号特性をバースト毎に、例えば色分けして、識別可能に表示される。
【００１６】
また、別の発明は、上述した発明のバースト信号解析装置に対して、信号メモリに記憶された複数のバーストのうちレベル測定手段で測定された信号レベルに基づいたバーストの信号レベルがしきい値以上のバーストを復調して、バースト継続期間における各チップ位置における各データ値を得る復調手段と、復調手段で復調された各データ値の正誤を判定して、各バーストのデータ誤り率を算出する誤り率算出手段と、誤り率算出手段で算出された各バーストのデータ誤り率を前記表示器に表示されたバースト波形における対応するバーストの近傍位置に重ね表示する誤り率表示手段とを付加している。
【００１７】
このように構成されたバースト信号解析装置においては、バースト波形上の複数のバーストのうち信号レベルがしきい値以上のバーストの近傍に該当バーストのデータ誤り率が表示されるので、バーストの信号レベルとデータ誤り率との関係が一瞥して、把握できる。
【００１８】
また、別の発明は、上述した発明のバースト信号解析装置に対して、バースト指定手段で指定されたバーストを復調して、バースト継続期間における各チップ位置における各データ値を得る復調手段と、この復調手段で復調された各データ値の正誤を判定するエラー判定手段と、復調手段で復調された各データ値を表示器にバースト波形と同一表示画面で表示すると共に、エラー判定手段で誤りと判定されたデータ値を正常と判定されたデータ値に対して識別可能に表示する復号データ表示手段とを付加している。
【００１９】
このように構成されたバースト信号解析装置においては、表示器にバースト波形が表示された状態において、測定対象のバーストを指定すると、該当バーストのバースト継続期間における各チップ位置における各データ値が復調されて表示器に表示出力される。同時に、誤りと判定されたデータ値が例えば赤色等に識別可能に表示される。したがって、誤りデータ値を一瞥して確認できる。
【００２０】
また、別の発明は、上述した発明のバースト信号解析装置に対して、信号メモリに記憶された複数のバーストにおける複数のプリアンブルと１個のメッセージとを抽出するバースト抽出手段と、このバースト抽出手段で抽出された各プリアンブルの信号レベルがしきい値以上か否かを判定するレベル判定手段と、このレベル判定手段でしきい値未満と判定されたプリアンブルに対するバースト指定手段におけるバースト指定を禁止するバースト指定禁止手段とを付加している。
【００２１】
このように構成されたバースト信号解析装置においては、通信信号を構成する複数のバーストのうち、プリアンブルのバーストにおける信号レベルがしきい値未満の場合は、バースト指定を禁止しているので、最初から正常な信号特性が得られない信号レベルの低いプリアンブルのバーストに対する信号特性の測定を実施する必要がないので、試験作業能率が向上する。
【００２２】
また、別の発明は、上述した発明のバースト信号解析装置に対して、表示器に表示された複数の信号特性のうちの第２のマーカーで指定された信号特性のバースト継続期間における各チップ位置における各単位特性で示した特性経時グラフを作成して、表示器に表示する特性経時グラフ表示手段を付加している。
【００２３】
このように構成されたバースト信号解析装置においては、指定されたバーストにおける複数の信号特性のうちの１つの信号特性を第２のマーカーで指定すると、指定された信号特性のバースト継続期間における各チップ位置における各単位特性で示した特性経時グラフが表示器に表示されるので、より詳細な信号特性が得られる。
【００２４】
また、別の発明は、上述した発明のバースト信号解析装置に対して、バースト継続期間における指定したチップ位置の単位特性の値と特性経時グラフ上のチップ位置を第３のマーカーで表示する詳細特性表示手段を付加している。
【００２５】
このように構成されたバースト信号解析装置においては、チップ位置を指定すると、チップ位置の単位特性の値が表示され、かつ特性経時グラフ上のチップ位置が第３のマーカーで表示される。
【発明の効果】
【００２６】
本発明においては、複数のプリアンブルと１個のメッセージとからなる通信信号のバースト波形を表示し、指定されたバーストの各信号特性を測定して、バースト波形と同一画面上に表示している。
【００２７】
したがって、測定対象のバーストを指定して、該当バーストの周波数、変調誤差率、コンスタレーション、位相誤差、信号レベルを含む複数の信号特性を一瞥して把握でき、かつ必要に応じて、１つのバーストの特定時間位置を指定して、詳細特性値を表示でき、通信信号を短時間で解析でき、異常発生箇所の特定と異常原因の特定とを効率的に実施できる。
【発明を実施するための最良の形態】
【００２８】
以下、本発明の一実施形態を図面を用いて説明する。
【００２９】
図１は本発明の一実施形態に係わるバースト信号解析装置の概略構成を示すブロック図である。この実施形態のバースト信号解析装置は、前述した図１４に示したＷ−ＣＤＭＡ通信方式が採用される移動体通信システムで用いられる携帯電話からなる移動端末１から出力される複数のプリアンブル３と１個のメッセージ４とからなる通信信号ａを解析する。
【００３０】
入力端子５から入力された高周波の通信信号ａは、周波数変換部６で局部発振器（ＬＯＯＳＣ）７からの周波数信号に基づいて中間周波数に周波数変換されたのち、バンドパスフィルタ８で不要周波数成分が除去され、Ａ／Ｄ変換器９で、デジタルの通信信号ａに変換され、信号メモリ１０に書込まれる。
【００３１】
この信号メモリ１０は、例えば、図１４（ｃ）に示すように、プリアンブル３数が増加して、通信信号ａの信号長Ｔ4が限界値まで延びたとしても、複数のプリアンブル３と１個のメッセージ４とを含む少なくとも１測定区間分（例えば６２ｍｓ分）の各バーストの波形データを記憶する容量を有したＦＩＦＯ型メモリで形成されている。したがって、Ａ／Ｄ変換器９から出力されたデジタルの通信信号ａは継続して信号メモリ１０に書込まれると同時に信号メモリ１０から出力される。
【００３２】
そして、信号開始位置検出部１１が、Ａ／Ｄ変換器９から順次出力されるデジタルの通信信号ａにおける先頭のプリアンブル３の立上りを検出すると、書込読出制御部１２が、信号メモリ１０にプリアンブル３の立上り検出より少し前のデータが信号メモリ１０から出力されるタイミングで信号メモリ１０に対する通信信号ａの書込を停止させる。その結果、信号メモリ１０内には、複数のプリアンブル３と１個のメッセージ４とを含む少なくとも１つの通信信号ａが記憶される。
【００３３】
信号メモリ１０に記憶された１測定区間分の少なくとも１つの通信信号ａは読出されてバースト抽出部１３及びレベル測定部１４へ入力される。レベル測定部１４は、入力された１測定区間（６２ｍｓ）分の通信信号ａの各時刻（１μｓ毎）における信号レベルを測定する。対数変換部１５は測定された各信号レベルを対数変換してｄＢ単位に直して、図２に示す１測定区間（６２ｍｓ）分のバースト波形１６を出力する。この実施形態においては、１測定区間（６２ｍｓ）内に、それぞれ５個のプリアンブル３と１個のメッセージ４の合計６個のバースト１７からなる通信信号ａを２個含んでいる。
【００３４】
このバースト波形１６はバースト波形メモリ１８に一旦格納され、表示編集部１９を介して表示器２０に表示出力される。図６は表示器２０の表示画面の上部に表示されたバースト波形１６を示す。なお、このバースト波形１６は操作部２７から指定された測定条件や表示条件が変更になったとしても、この通信信号測定装置で通信信号ａの測定期間中は常時表示されている。
【００３５】
図１のバースト抽出部１３は、入力された１測定区間（６２ｍｓ）分の通信信号ａにおける信号の立上り立下りから各バースト１７を特定して、各バースト１７を抽出してバースト判定部２１へ送出する。バースト判定部２１は、各バースト１７をバースト長から、プリアンブル３とメッセージ４に分類し、それぞれプリアンブルメモリ２２、メッセージメモリ２３へ書込む。
【００３６】
メッセージメモリ２３から読出されたメッセージ４は測定バースト指定部２６へ入力される。プリアンブルメモリ２２から読出された各プリアンブル３は測定プリアンブル制御部２５を経由して測定バースト指定部２６へ入力される。
【００３７】
レベル判定部２４は、プリアンブルメモリ２２から読出された各プリアンブル３の信号レベルを対数変換部１５から得て、平均の信号レベルがしきい値以上か否かを判定して判定結果を測定プリアンブル制御部２６へ送出する。測定プリアンブル制御部２６は、信号レベルがしきい値未満のプリアンブル３の測定バースト指定部２６への入力を禁止する。測定バースト指定部２６は、操作部２７から指定されたプリアンブル３又はメッセージ４の１個のバーストを選択して、Ｉ，Ｑ分離部２８へ送出する。
【００３８】
Ｉ，Ｑ分離部２８は、プリアンブル３かメッセージ４かが判定済みの１個の変調信号からなるバースト１７を直交復調して、バースト継続期間（バースト長）における各チップ（各時刻）毎のＩ（同相）成分とＱ（直交）成分に分離する。Ｉ，Ｑ分離部２８でＩ，Ｑデータに分離されたバーストは、復調部２９及び特性測定部３０へ入力される。
【００３９】
特性測定部３０内には、周波数測定部３１、ＥＶＭ（変調誤差）測定部３２、コンスタレーション測定部３３、位相誤差測定部３４、振幅誤差測定部３５、原点オフセット測定部３６が設けられている。
【００４０】
周波数測定部３１は、バーストの各チップ位置（各時刻）におけるバーストの搬送周波数をＩ，Ｑデータの周期から求めるとともに、このバーストの平均の搬送周波数、規定搬送周波数からの誤差周波数を求める。
【００４１】
コンスタレーション測定部３３は、図５（ａ）に示すように、バーストの各チップ位置（各時刻）における、バースト変調方式に対応する各Ｉ、ＱデータをＩＱ座標上に示したコンスタレーション３７を算出する。
【００４２】
ＥＶＭ（変調誤差）測定部３２は、図５（ｂ）に示すように、バーストの各チップ位置（各時刻）における、算出（測定）されたコンスタレーション３７における各Ｉ、Ｑデータの合成点（測定点）と、論理的なコンスタレーションにおける各Ｉ、Ｑデータの合成点（論理点）との間の誤差（変調誤差）を求める。さらに、図５（ｃ）に示すように、このバーストの平均のＥＶＭ（ＲＭＳ  ＥＶＭ）を求める。
【００４３】
位相誤差測定部３４は、図５（ｂ）に示すように、バーストの各チップ位置（各時刻）における、算出（測定）されたコンスタレーション３７における各Ｉ、Ｑデータの合成点（測定点）と、論理的なコンスタレーションにおける各Ｉ、Ｑデータの合成点（論理点）との間の位相誤差を算出する。さらに、このバーストの平均の位相誤差を算出する。
【００４４】
原点オフセット測定部３６は、図５（ｄ）に、算出（測定）されたコンスタレーション３７のＩＱ座標の原点Ｏと、論理的なコンスタレーションのＩＱ座標の原点Ｏ’との間の距離を示す原点オフセットを算出する。
【００４５】
振幅誤差測定部３５は、バーストの各チップ位置（各時刻）におけるＩ、Ｑデータから振幅（送信電力、信号レベル）を求め、基準振幅からの振幅誤差を求める。
【００４６】
この特性測定部３０の各測定部３１〜３６で得られた１バースト分の各信号特性は、１プリアンブル測定結果メモリ３８、メッセージ測定結果メモリ３９、バースト別測定結果メモリ４０へ書込まれる。
【００４７】
１プリアンブル測定結果メモリ３８内には、図３に示すように、特性測定部３０で測定されたバースト１７がプリアンブル３の場合における周波数測定部３１、ＥＶＭ（変調誤差）測定部３２、コンスタレーション測定部３３、位相誤差測定部３４、振幅誤差測定部３５、原点オフセット測定部３６で得られた、バーストの０〜４０９５の各チップ位置（各時刻）におけるに信号特性（単位信号特性）と、バースト１７全体の平均値が書込まれる。
【００４８】
メッセージ測定結果メモリ３９内には、１プリアンブル測定結果メモリ３８と同様に、特性測定部３０で測定されたバースト１７がメッセージ４の場合における周波数測定部３１、ＥＶＭ（変調誤差）測定部３２、コンスタレーション測定部３３、位相誤差測定部３４、振幅誤差測定部３５、原点オフセット測定部３６で得られた、バーストの各チップ位置（各時刻）におけるに信号特性（単位信号特性）と、バースト１７全体の平均値が書込まれる。
【００４９】
バースト別測定結果メモリ４０内には、図４に示すように、複数のプリアンブル３と１個のメッセージ４の各バースト１７毎に、各信号特性の平均値が書込まれる。
【００５０】
復調部２９は、Ｉ，Ｑ分離部２８でＩ，Ｑデータに分離されたバースト１７の変調信号を、このバースト１７のＱＰＳＫ又はＣＤＭＡに対応する復調方式で復調して、バーストの各チップ位置（各時刻）におけるデータ値を得て、データメモリ４１に書込む。
【００５１】
また、データメモリ４１に書込まれた各データ値の正誤が検出され、データ誤り率が算出され、このデータメモリ４１に追加書込される。
【００５２】
表示編集部１９は、操作部２７、マーカー制御部４２の指示に基づいて、各メモリ１８、３８、３９、４０、４１に記憶されたバースト波形１６、各信号特性、データ値を読出して、表示器２０に表示出力する。
【００５３】
以下、図６〜図１３を用いて、各指示における表示パターンを順番に説明していく。前述したように、バースト波形メモリ１８から読出されて表示器２０の表示画面の上部に表示されたバースト波形１６は操作部２７から指定された測定条件や表示条件が変更になったとしても、この通信信号測定装置で通信信号ａの測定期間中は常時表示されている。
【００５４】
図６は、表示器２０にバースト波形１６が表示された状態で、操作部２７で２番のプリアンブル３のバーストを指定した時の表示状態を示す。２番のプリアンブル３のバーストの各信号特性が測定され、各信号特性４４のバースト全体の平均値が同一画面に表示される。また、操作部２７で２番のプリアンブル３のバースト波形１６上の位置が第１のマーカー４３で表示される。
【００５５】
このように、操作部２７で指定したバーストの各信号特性４４の平均値を簡単に表示することが可能である。さらに、測定プリアンブル制御部２５において、プリアンブル３のバーストにおける信号レベルがしきい値未満の場合は、バースト指定を禁止しているので、最初から正常な信号特性が得られない信号レベルの低いプリアンブル３のバーストに対する信号特性の測定を実施する必要がないので、試験作業能率が向上する。
【００５６】
図７においては、表示器２０にバースト波形１６及び指定されたバーストの各信号特性４４の平均値が表示された状態で、コンスタレーション３７の信号特性を指定し、さらに、バーストにおける１つのチップ位置（時刻）を操作部２７で指定したときに、コンスタレーション３７上の該当チップ位置が第３のマーカー４５で指定される。
【００５７】
図８においては、表示器２０にバースト波形１６及び指定された２番目のバーストの各信号特性４４の平均値が表示された状態で、第２のマーカー４６でＥＶＭの信号特性を指定し、さらに、バーストにおける１つのチップ位置を操作部２７で指定したときに、バースト継続期間における各チップ位置における各単位特性で示したＥＶＭの特性経時グラフ４７が表示される。さらに、バーストにおける１つのチップ位置を操作部２７で指定したときに、特性経時グラフ４７上の該当チップ位置が第３のマーカー４５で指定される。さらに、該当チップ位置の単位特性（ＥＶＭ）の値４８が表示される。
【００５８】
図９においては、表示器２０にバースト波形１６及び指定された２番目のバーストの各信号特性４４の平均値が表示された状態で、第２のマーカー４６で位相誤差の信号特性を指定し、さらに、バーストにおける１つのチップ位置を操作部２７で指定したときに、バースト継続期間における各チップ位置における各単位特性で示した位相誤差の特性経時グラフ４７が表示される。さらに、バーストにおける１つのチップ位置を操作部２７で指定したときに、特性経時グラフ４７上の該当チップ位置が第３のマーカー４５で指定される。さらに、該当チップ位置の単位特性（位相誤差）の値４８が表示される。
【００５９】
図１０においては、表示器２０にバースト波形１６及び指定された４番目のバーストの各信号特性の平均値４４が表示された状態で、第２のマーカー４６で送信電力（振幅）の信号特性を指定し、さらに、バーストにおける１つの時刻位置を操作部２７で指定したときに、バースト継続期間における各時刻位置における各単位特性で示した送信電力（振幅）の特性経時グラフ４７が表示される。さらに、バーストにおける１つの時刻位置を操作部２７で指定したときに、特性経時グラフ４７上の該当時刻位置が第３のマーカー４５で指定される。さらに、該当時刻位置の単位特性（送信電力）の値４８が表示される。
【００６０】
このように、指定されたバースト１７における複数の信号特性のうちの１つの信号特性を第２のマーカー４６で指定すると、指定された信号特性のバースト継続期間における各チップ位置における各単位特性で示した特性経時グラフ４７が表示器２０に表示されるので、より詳細な信号特性が得られる。さらに、チップ位置を指定すると、チップ位置の単位特性の値４８が表示され、かつ特性経時グラフ４７上のチップ位置が第３のマーカー４５で表示されるので、より詳細な信号特性が得られる。
【００６１】
図１１においては、表示器２０にバースト波形１６及び２番目のバーストが指定された状態で操作部２７から復調データの表示指示が入力すると、復調部２９で指定されたバーストを復調する。そして、この復調されたバーストの各チップ位置（各時刻）における各データ値４９が表示器２０に表示される。この場合、誤りと判定されたデータ値５０が例えば赤色等に識別可能に表示される。
【００６２】
このようにバーストのバースト継続期間における各チップ位置における各データ値４９が復調されて表示器２０に表示出力される。同時に、誤りと判定されたデータ値５０が例えば赤色等に識別可能に表示される。したがって、誤りデータ値５０を一瞥して確認できる。
【００６３】
図１２においては、表示器２０にバースト波形１６及び指定された４番目のバーストの各信号特性４４の平均値が表示された状態で、データ誤り率の表示指示が入力すると、復調部２９で各バーストを復調する。そして、この復調された各バーストのデータ誤り率５１が算出され、バースト波形１６における対応するバースト１７の近傍位置に表示される。
【００６４】
なお、データ誤り率以外にも、任意の信号特性を指定することが可能である。この場合、特性測定部３０で各バースト１７の各信号特性を順番に測定し、平均値を順番にバースト別測定結果メモリ４０に書込んだのち、表示器２０に表示する。
【００６５】
図１３においては、表示器２０にバースト波形１６が表示された状態で、操作部２７で２番のプリアンブル３のバーストと４番のプリアンブル３のバーストとの複数のバーストを指定した時の表示状態を示す。
【００６６】
２番、４番のプリアンブル３の各バーストの各信号特性が順番に測定され、各平均値を順番にバースト別測定結果メモリ４０に書込んだのち、表示器２０に各バースト毎の信号特性４４が同一画面に表示される。また、操作部２７で２番と４番のプリアンブル３のバースト波形１６上の位置が第１のマーカー４３で表示される。この場合、例えば、各第１のマーカー４３と各信号特性４４をバースト毎に色分け表示される。
【図面の簡単な説明】
【００６７】
【図１】本発明の一実施形態に係わるバースト信号解析装置の概略構成を示すブロック図
【図２】同実施形態のバースト信号解析装置で作成されるバースト波形を示す図
【図３】同実施形態のバースト信号解析装置に形成された１プリアンブル測定結果メモリの記憶内容を示す図
【図４】同実施形態のバースト信号解析装置に形成されたバースト別測定結果メモリの記憶内容を示す図
【図５】同実施形態のバースト信号解析装置における各信号特性を示す図
【図６】同実施形態のバースト信号解析装置の表示器に表示された通信信号の解析結果を示す図
【図７】同じく同実施形態のバースト信号解析装置の表示器に表示された通信信号の解析結果を示す図
【図８】同じく同実施形態のバースト信号解析装置の表示器に表示された通信信号の解析結果を示す図
【図９】同じく同実施形態のバースト信号解析装置の表示器に表示された通信信号の解析結果を示す図
【図１０】同じく同実施形態のバースト信号解析装置の表示器に表示された通信信号の解析結果を示す図
【図１１】同じく同実施形態のバースト信号解析装置の表示器に表示された通信信号の解析結果を示す図
【図１２】同じく同実施形態のバースト信号解析装置の表示器に表示された通信信号の解析結果を示す図
【図１３】同じく同実施形態のバースト信号解析装置の表示器に表示された通信信号の解析結果を示す図
【図１４】通信信号の構成を示す図
【符号の説明】
【００６８】
ａ…通信信号、１…移動端末、２…基地局、３…プリアンブル、４…メッセージ、９…Ａ／Ｄ変換器、１０…信号メモリ、１３…バースト抽出部、１４…レベル測定部、１６…バースト波形、１７…バースト、１８…バースト波形メモリ、１９…表示編集部、２０…表示器、２１…バースト判定部、２２…プリアンブルメモリ、２３…メッセージメモリ、２５…測定プリアンブル制御部、２６…測定バースト指定部、２７…操作部、２８…Ｉ，Ｑ分離部、２９…復調部、３０…特性測定部、３１…周波数測定部、３２…ＥＶＭ（変調誤差）測定部、３３…コンスタレーション測定部、３４…位相誤差測定部、３５…振幅誤差測定部、３６…原点オフセット測定部、３７…コンスタレーション、３８…１プリアンブル測定結果メモリ、３９…メッセージ測定結果メモリ、４０…バースト別測定結果メモリ、４１…データメモリ、４２…マーカー制御部、４３…第１のマーカー、４４…信号特性、４５…第３のマーカー、４６…第２のマーカー、４７…特性経時グラフ、４８…単位特性の値、４９…データ値、５０…誤りデータ値、５１…データ誤り率
【図１】
2007019741.tif 000003
【図２】
2007019741.tif 000004
【図３】
2007019741.tif 000005
【図４】
2007019741.tif 000006
【図５】
2007019741.tif 000007
【図６】
2007019741.tif 000008
【図７】
2007019741.tif 000009
【図８】
2007019741.tif 000010
【図９】
2007019741.tif 000011
【図１０】
2007019741.tif 000012
【図１１】
2007019741.tif 000013
【図１２】
2007019741.tif 000014
【図１３】
2007019741.tif 000015
【図１４】
2007019741.tif 000016